(57)【要約】【課題】包装袋に他の物品を着脱しても包装袋の損傷を回避できる技術を提供する。【解決手段】大形包装袋２は、開口部６を有する包装袋本体９と、雌型の嵌合面を有し、開口部６が閉じられた状態で嵌合面が露出する露出チャック部２５と、を備えている。【選択図】図２
2019081567.tif 000002
【特許請求の範囲】
【請求項１】
開口部を有する包装袋本体と、
雄型又は雌型の嵌合面を有し、前記開口部が閉じられた状態で前記嵌合面が露出する露出チャック部と、
を備えた、
包装袋。
【請求項２】
請求項１に記載の包装袋であって、
前記包装袋本体の前記開口部の内面には、雄型の嵌合面を有する雄型チャック部、及び、雌型の嵌合面を有する雌型チャック部と、が互いに対向するように配置されており、
前記雄型チャック部と前記雌型チャック部を嵌合させることにより前記開口部が閉じられるように構成され、
前記露出チャック部は、前記雄型チャック部の一部分として構成されている、
包装袋。
【請求項３】
請求項２に記載の包装袋であって、
前記雌型チャック部は、前記包装袋本体の厚み方向において前記露出チャック部と重ならないように形成されており、
前記包装袋本体のうち前記包装袋本体の厚み方向において前記露出チャック部と対向する部分には、開口又は切り欠きが形成されている、
包装袋。
【請求項４】
請求項１に記載の包装袋であって、
前記包装袋本体の前記開口部の内面には、雄型の嵌合面を有する雄型チャック部、及び、雌型の嵌合面を有する雌型チャック部と、が互いに対向するように配置されており、
前記雄型チャック部と前記雌型チャック部を嵌合させることにより前記開口部が閉じられるように構成され、
前記露出チャック部は、前記雌型チャック部の一部分として構成されている、
包装袋。
【請求項５】
請求項４に記載の包装袋であって、
前記雄型チャック部は、前記包装袋本体の厚み方向において前記露出チャック部と重ならないように形成されており、
前記包装袋本体のうち前記包装袋本体の厚み方向において前記露出チャック部と対向する部分には、開口又は切り欠きが形成されている、
包装袋。
【請求項６】
請求項１に記載の包装袋であって、
前記包装袋本体は、
雄型の嵌合面を有する雄型チャック部が形成された第１の樹脂シート部と、
雌型の嵌合面を有する雌型チャック部が形成された第２の樹脂シート部と、
を有し、
前記雄型チャック部と前記雌型チャック部を嵌合させることにより前記開口部が閉じられるように構成され、
前記第１の樹脂シート部は、前記第２の樹脂シート部の上端よりも上方に延長しており、その延長した部分に前記露出チャック部が形成されている、
包装袋。
【請求項７】
請求項６に記載の包装袋であって、
前記露出チャック部は、前記雄型チャック部が形成された面と同じ面に形成されている、
包装袋。
【請求項８】
請求項１に記載の包装袋であって、
前記包装袋本体は、
雄型の嵌合面を有する雄型チャック部が形成された第１の樹脂シート部と、
雌型の嵌合面を有する雌型チャック部が形成された第２の樹脂シート部と、
を有し、
前記雄型チャック部と前記雌型チャック部を嵌合させることにより前記開口部が閉じられるように構成され、
前記第２の樹脂シート部は、前記第１の樹脂シート部の上端よりも上方に延長しており、その延長した部分に前記露出チャック部が形成されている、
包装袋。
【請求項９】
請求項８に記載の包装袋であって、
前記露出チャック部は、前記雌型チャック部が形成された面と同じ面に形成されている、
包装袋。
【請求項１０】
請求項１に記載の包装袋であって、
前記露出チャック部は、前記包装袋本体の外面に形成されている、
包装袋。
【請求項１１】
開口部を有する包装袋本体と、雄型又は雌型の嵌合面を有し、前記開口部が閉じられた状態で前記嵌合面が露出する露出チャック部と、を備えた包装袋の２つを、互いの前記露出チャック部を嵌合させることにより連結する、
収容構造の使用方法。
【発明の詳細な説明】
【技術分野】
【０００１】
本発明は、包装袋及び収容構造の使用方法に関する。
【背景技術】
【０００２】
特許文献１は、合成樹脂製の雌雄咬合型チャックを開口部の内側面にそれぞれ対面して設けたチャック付袋体を開示している。
【先行技術文献】
【特許文献】
【０００３】
【特許文献１】特開平６−２８６７５９号公報
【発明の概要】
【発明が解決しようとする課題】
【０００４】
ところで、カーナビゲーション装置の分野においては、商品梱包の際、取扱説明書と地図データが記憶されたSDメモリーカード（登録商標）を別々の包装袋に収容することが一般的である。これは、商品が出荷されてから最終消費者に販売されるまでの間に地図データの新しいバージョンが発行されることがあり、この場合、商品内のSDメモリーカードを新しいバージョンの地図データが記憶された他のSDメモリーカードに交換したり、商品内のSDメモリーカード内の地図データを書き換える必要があるからである。
【０００５】
また、SDメモリーカードを収容する包装袋（以下、SD包装袋）は取扱説明書を収容する包装袋（取説包装袋）と比較して小さいので、SD包装袋が化粧箱の中で所在不明とならないよう、SD包装袋を取説包装袋の所定の場所にテープで貼り付けておくことがよいとされている。
【０００６】
しかしながら、SD包装袋を取説包装袋にテープで貼り付けることは、以下の問題を有している。即ち、地図データの新しいバージョンが発行されると、SDメモリーカードを交換し、又は、SDメモリーカード内の地図データを書き換えるために、取説包装袋からテープを剥がしてSD包装袋からSDメモリーカードを取り出す必要があり、このとき取説包装袋を損傷させてしまい、取説包装袋の交換が必要となったり、取説包装袋の見た目が悪くなる。
【０００７】
そこで、本発明の目的は、包装袋に他の物品を着脱しても包装袋の損傷を回避できる技術を提供することにある。
【課題を解決するための手段】
【０００８】
本発明の一実施形態によれば、開口部を有する包装袋本体と、雄型又は雌型の嵌合面を有し、前記開口部が閉じられた状態で前記嵌合面が露出する露出チャック部と、を備えた、包装袋が提供される。
また、本発明の他の実施形態によれば、開口部を有する包装袋本体と、雄型又は雌型の嵌合面を有し、前記開口部が閉じられた状態で前記嵌合面が露出する露出チャック部と、を備えた包装袋の２つを、互いの前記露出チャック部を嵌合させることにより連結する、収容構造の使用方法が提供される。
【発明の効果】
【０００９】
本発明によれば、包装袋に他の物品を着脱しても包装袋の損傷を回避することができる。
【図面の簡単な説明】
【００１０】
【図１】収容構造の正面図である。（第１実施形態）
【図２】大形包装袋の正面図である。（第１実施形態）
【図３】図２のIII-III線端面図である。（第１実施形態）
【図４】図２のIV-IV線端面図である。（第１実施形態）
【図５】小形包装袋の正面図である。（第１実施形態）
【図６】図１のVI-VI線端面図である。（第１実施形態）
【図７】第１実施形態の変形例を示す図である。
【図８】大形包装袋の正面図である。（第2実施形態）
【図９】図８のIX-IX線端面図である。（第2実施形態）
【図１０】大形包装袋の端面図である。（第３実施形態）
【図１１】参考実施形態の収容構造の斜視図である。
【図１２】参考実施形態の収容構造の端面図である。
【発明を実施するための形態】
【００１１】
（第１実施形態）
以下、図１から図６を参照して、第１実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。従って、具体的な厚みや寸法は以下の説明を参酌して判断すべきものである。又、図面相互間においても互いの寸法の関係や比率が異なる部分が含まれていることはもちろんである。
【００１２】
また、以下に示す実施の形態は、この発明の技術的思想を具体化するための構成や方法を例示するものであって、この発明の技術的思想は、構成部品の材質、形状、構造、配置等を下記のものに特定するものでない。この発明の技術的思想は、特許請求の範囲において、種々の変更を加えることができる。
【００１３】
（収容構造１）
図１には、収容構造１の正面図を示している。収容構造１は、包装袋の一具体例としての大形包装袋２と、包装袋の一具体例としての小形包装袋３と、により構成されている。大形包装袋２は、小形包装袋３と比較して高さ寸法及び幅寸法が大きい。
【００１４】
大形包装袋２には、例えば、カーナビゲーション装置の取扱説明書４が収容される。取扱説明書４は、大形収容物の一具体例である。小形包装袋３には、例えば、カーナビゲーション装置に利用される地図データが記憶されたSDメモリーカード５が収容される。SDメモリーカード５は、小形収容物の一具体例である。取扱説明書４及びSDメモリーカード５は何れも薄板矩形状とされている。取扱説明書４は、SDメモリーカード５と比較して高さ寸法及び幅寸法、厚み寸法が大きい。
【００１５】
（大形包装袋２）
図２には、大形包装袋２の正面図を示している。図３には、図２のIII-III線端面図を示している。図４には、図２のIV-IV線端面図を示している。
【００１６】
図２から図４に示すように、大形包装袋２は、例えば、ポリエチレンやポリプロピレン、ポリエチレンテレフタレートなどの透明樹脂シートを折り返し、左右の側辺を溶着することにより袋状に形成されている。大形包装袋２は、上方に開口する開口部６を有している。
【００１７】
（前シート部７及び後ろシート部８）
図３に示すように、大形包装袋２は、前シート部７及び後ろシート部８を有している。前シート部７及び後ろシート部８は、大形包装袋２の包装袋本体９を構成している。前シート部７及び後ろシート部８は、包装袋本体９の厚み方向で対向している。以下、「包装袋本体９の厚み方向」を単に「厚み方向」と称し、「包装袋本体９の幅方向」を単に「幅方向」と称し、「包装袋本体９の高さ方向」を単に「高さ方向」と称する。
【００１８】
前シート部７及び後ろシート部８は、大形包装袋２の下端において折り返し部１０を介して連なっている。ただし、前シート部７及び後ろシート部８は、大形包装袋２の下端において溶着により連なっていてもよい。前シート部７は、上端７ａを有する。後ろシート部８は、上端８ａを有する。そして、後ろシート部８は、前シート部７の上端７ａよりも上方に延長している。即ち、後ろシート部８の上端８ａは、前シート部７の上端７ａよりも上方に位置する。詳しくは、後ろシート部８は、前シート部７の上端７ａよりも上方に延長した部分としての上方延長部８ｂを有している。図２に戻り、大形包装袋２は、左側の側辺において前シート部７と後ろシート部８を溶着した左側溶着部１１と、右側の側辺において前シート部７と後ろシート部８を溶着した右側溶着部１２と、を有している。
【００１９】
（雄型チャック部２０、雌型チャック部２１）
図３に示すように、大形包装袋２の開口部６の内面には、雄型チャック部２０と、雌型チャック部２１と、が互いに対向するように配置されている。そして、雄型チャック部２０と雌型チャック部２１を互いに嵌合させることにより、開口部６が閉じられるように構成されている。
【００２０】
詳しくは、前シート部７は、後ろシート部８に対向する内面７ｃを有している。同様に、後ろシート部８は、前シート部７に対向する内面８ｃを有している。
【００２１】
そして、雄型チャック部２０は、前シート部７の内面７ｃのうち開口部６の近傍に形成されている。雄型チャック部２０は、前シート部７の内面７ｃから後ろシート部８に向かって突出するように形成されている。雄型チャック部２０は、幅方向に沿って延びるように形成されている。
【００２２】
雄型チャック部２０は、雄型の嵌合面２０ａを有している。雄型チャック部２０は、前シート部７から後ろシート部８に向かって順に、肉薄部２０ｂと、肉薄部２０ｂよりも高さ寸法が大きい肉厚部２０ｃと、を有している。端的に言えば、雄型チャック部２０の断面形状は、前シート部７から後ろシート部８に向かうにつれて太くなるように形成されている。
【００２３】
図２に示すように、雄型チャック部２０は、左側雄型チャック部２０Ｐと、右側雄型チャック部２０Ｑと、により構成されている。左側雄型チャック部２０Ｐと右側雄型チャック部２０Ｑは、幅方向において離れて配置されている。従って、雄型チャック部２０は、幅方向中央において切れ目を有している。雄型チャック部２０は、幅方向中央において欠けている。
【００２４】
図３に示すように、雌型チャック部２１は、後ろシート部８の内面８ｃのうち開口部６の近傍に形成されている。雌型チャック部２１は、後ろシート部８の内面８ｃから前シート部７に向かって突出するように形成されている。雌型チャック部２１は、幅方向に沿って延びるように形成されている。
【００２５】
雌型チャック部２１は、雌型の嵌合面２１ａを有している。即ち、雌型チャック部２１は、後ろシート部８から前シート部７に向かって二股に分岐する略Ω字に形成されている。
【００２６】
図２に示すように、雌型チャック部２１は、大形包装袋２の左側溶着部１１から右側溶着部１２に至るまで切れ目なく形成されている。
【００２７】
（露出チャック部２５）
図２及び図４に示すように、前シート部７には、矩形状の開口２２が形成されている。開口２２は、開口部６の近傍に形成されている。開口２２は、幅方向中央に形成されている。開口２２は、厚み方向において雌型チャック部２１と重複する位置に形成されている。図２に示すように、開口２２は、幅方向において左側雄型チャック部２０Ｐと右側雄型チャック部２０Ｑの間に形成されている。従って、開口部６が閉じられた状態において、雌型チャック部２１のうち開口２２と厚み方向で重複する部分が外部に露出している。このように、雌型チャック部２１のうち厚み方向で前シート部７で覆われない部分を以下、露出チャック部２５と称する。本実施形態において、露出チャック部２５は、雌型チャック部２１の一部である。雄型チャック部２０は、厚み方向において露出チャック部２５と重ならないように形成されている。前シート部７のうち厚み方向において露出チャック部２５と対向する部分には開口２２が形成されている。図４に示すように、露出チャック部２５の嵌合面２１ａは、開口部６が閉じられた状態で、厚み方向において前シート部７に覆われることなく外部に露出している。換言すれば、露出チャック部２５の嵌合面２１ａは、開口部６が閉じられた状態で指先で触れられるようになっている。
【００２８】
（小形包装袋３）
次に、図５を参照して、小形包装袋３を説明する。図５は、小形包装袋３の正面図を示している。小形包装袋３は、高さ寸法と幅寸法を除いて、大形包装袋２と同じ構造を有している。ただし、小形包装袋３では、前シート部７に雌型チャック部２１が形成されており、後ろシート部８に雄型チャック部２０が形成されている。従って、露出チャック部２５は、雄型チャック部２０の一部として構成されている。
【００２９】
（収容構造１の使用方法）
次に、図６を参照して、収容構造１の使用方法を説明する。図６には、図１のVI-VI線端面図を示している。ただし、大形包装袋２に収容された取扱説明書４、及び、小形包装袋３に収容されたSDメモリーカード５の図示を省略している。
【００３０】
図６に示すように、収容構造１を組み立てるには、大形包装袋２の露出チャック部２５と小形包装袋３の露出チャック部２５を嵌合させることで、大形包装袋２と小形包装袋３を連結すればよい。
【００３１】
実際の使用態様としては、地図データの更新があった場合、作業者は、先ず、大形包装袋２の露出チャック部２５から小形包装袋３の露出チャック部２５を抜去することで、大形包装袋２から小形包装袋３を取り外す。
【００３２】
次に、小形包装袋３からSDメモリーカード５を取り出して、SDメモリーカード５に記憶されている地図データを書き換えるか、新しい地図データが記憶されているSDメモリーカード５と取り替える。そして、書き換え後の、又は、新しいSDメモリーカード５を小形包装袋３に収容し、小形包装袋３の開口部６を閉じる。
【００３３】
そして、大形包装袋２の露出チャック部２５と小形包装袋３の露出チャック部２５を嵌合することで、大形包装袋２と小形包装袋３を再び連結する。
【００３４】
このように、大形包装袋２の露出チャック部２５と小形包装袋３の露出チャック部２５を利用することで、大形包装袋２と小形包装袋３の容易な着脱を実現することができる。例えば、従来通りに大形包装袋２に小形包装袋３を粘着テープ等で貼り付ける場合は、大形包装袋２から粘着テープを引き剥がす必要があるので、大形包装袋２の損傷を招いていた。従って、上記のように大形包装袋２の露出チャック部２５と小形包装袋３の露出チャック部２５を利用した大形包装袋２と小形包装袋３との着脱方式は、大形包装袋２の損傷を抑制できるという効果を併せ持っている。
【００３５】
以上に、第１実施形態を説明したが、上記第１実施形態は以下の特徴を有している。
【００３６】
即ち、図３及び図４に示すように、大形包装袋２（包装袋）は、開口部６を有する包装袋本体９と、雌型の嵌合面２１ａを有し、開口部６が閉じられた状態で嵌合面２１ａが露出する露出チャック部２５と、を備えている。以上の構成によれば、大形包装袋２に他の物品を着脱しても大形包装袋２の損傷を回避することができる。
【００３７】
また、図３に示すように、包装袋本体９の開口部６の内面７ｃ及び内面８ｃには、雄型の嵌合面２０ａを有する雄型チャック部２０、及び、雌型の嵌合面２１ａを有する雌型チャック部２１と、が互いに対向するように配置されている。雄型チャック部２０と雌型チャック部２１を嵌合させることにより開口部６が閉じられるように構成されている。図２及び図４に示すように、露出チャック部２５は、雌型チャック部２１の一部分として構成されている。以上の構成によれば、雄型チャック部２０や雌型チャック部２１を追加で設ける必要がないので、露出チャック部２５を形成する際の追加のコストを抑制することができる。
【００３８】
また、図２に示すように、雄型チャック部２０は、包装袋本体９の厚み方向において露出チャック部２５と重ならないように形成されている。包装袋本体９のうち包装袋本体９の厚み方向において露出チャック部２５と対向する部分には、開口２２が形成されている。以上の構成によれば、簡素な構成で、雌型チャック部２１の一部を露出チャック部２５とすることができる。
【００３９】
また、図６に示すように、収容構造１の使用方法は、開口部６を有する包装袋本体９と、雄型又は雌型の嵌合面を有し、開口部６が閉じられた状態で嵌合面が露出する露出チャック部２５と、を備えた大形包装袋２及び小形包装袋３を、互いの露出チャック部２５を嵌合させることにより連結するステップを含む。以上の方法によれば、極めて簡単な作業で大形包装袋２と小形包装袋３を連結することができる。
【００４０】
上記第１実施形態は以下のように変更できる。
【００４１】
即ち、上記第１実施形態及び後続の実施形態、各変形例において、雄型チャック部２０と雌型チャック部２１は相補的な関係にあるので、雄型チャック部２０（及び嵌合面２０ａ）を雌型チャック部２１（及び嵌合面２１ａ）と読み替え、雌型チャック部２１（及び嵌合面２１ａ）を雄型チャック部２０（嵌合面２０ａ）と読み替えてもよい。
【００４２】
また、上記第１実施形態では、図２及び図４に示すように、包装袋本体９には、露出チャック部２５を外部に露出するための開口２２を形成することとしている。これに代えて、図７に示すように、包装袋本体９に、露出チャック部２５を外部に露出するための切り欠き３０を形成することとしてもよい。
【００４３】
（第２実施形態）
次に、図８及び図９を参照して、第２実施形態を説明する。図８は、大形包装袋の正面図である。図９は、図８のIX-IX線端面図である。以下、本実施形態が上記第１実施形態と相違する点を中心に説明し、重複する説明は省略する。
【００４４】
上記第１実施形態では、図２及び図４に示すように、包装袋本体９の前シート部７に開口２２を形成することで、雌型チャック部２１の一部を露出チャック部２５として機能させている。
【００４５】
これに対し、本実施形態では、図８及び図９に示すように、包装袋本体９の前シート部７に開口２２が形成されておらず、雄型チャック部２０は、左側溶着部１１から右側溶着部１２に至るまで切れ目なく延びている。従って、雄型チャック部２０と雌型チャック部２１は、左側溶着部１１から右側溶着部１２に至るまで途切れなく嵌合している。
【００４６】
また、本実施形態では、後ろシート部８の上方延長部８ｂの内面８ｃに雌型の嵌合面３１ａを有する雌型チャック部３１を形成することとしている。雌型チャック部３１は、露出チャック部の一具体例である。後ろシート部８の上方延長部８ｂの内面８ｃに形成された雌型チャック部３１は、厚み方向において前シート部７で覆われていないので、開口部６が閉じられた状態で外部に露出している。以上の構成によれば、雄型チャック部２０と雌型チャック部２１が左側溶着部１１から右側溶着部１２に至るまで途切れなく嵌合しているので、上記第１実施形態よりも開口部６をしっかり閉じることができる。また、雌型チャック部２１と雌型チャック部３１を同じ内面８ｃに形成することで、雌型チャック部３１を安価に設けることができ、もって、大形包装袋２のコストを抑えることができる。
【００４７】
以上に、第２実施形態を説明したが、上記第２実施形態は以下の特徴を有している。
【００４８】
即ち、包装袋本体９は、雄型の嵌合面２０ａを有する雄型チャック部２０が形成された第１の樹脂シート部としての前シート部７と、雌型の嵌合面２１ａを有する雌型チャック部２１が形成された第２の樹脂シート部としての後ろシート部８と、を有する。雄型チャック部２０と雌型チャック部２１を嵌合させることにより開口部６が閉じられるように構成されている。後ろシート部８は、前シート部７の上端７ａよりも上方に延長しており、その延長した部分としての上方延長部８ｂに露出チャック部としての雌型チャック部３１が形成されている。以上の構成によれば、露出チャック部として機能する雌型チャック部３１の配置の一具体例が提供される。
【００４９】
また、露出チャック部としての雌型チャック部３１は、雌型チャック部２１が形成された面である内面８ｃと同じ面に形成されている。以上の構成によれば、雌型チャック部３１を安価に設けることができ、もって、大形包装袋２のコストを抑えることができる。
【００５０】
なお、上記第２実施形態では、後ろシート部８が前シート部７の上端７ａよりも上方に延長しており、その延長した部分である上方延長部８ｂに雌型チャック部３１を設けることとした。しかし、これに代えて、前シート部７が後ろシート部８の上端８ａよりも上方に延長し、その延長した部分に雌型チャック部３１を設けるようにしてもよい。また、露出チャック部として雌型チャック部３１を形成することに代えて、雄型チャック部を形成してもよいことは前述した通りである。
【００５１】
（第３実施形態）
次に、図１０を参照して、第３実施形態を説明する。図１０は、大形包装袋の端面図である。以下、本実施形態が上記第１実施形態と相違する点を中心に説明し、重複する説明は省略する。
【００５２】
上記第１実施形態では、例えば図３に示すように、前シート部７の内面７ｃに雄型チャック部２０を形成し、後ろシート部８の内面８ｃに雌型チャック部２１を形成し、雄型チャック部２０と雌型チャック部２１を嵌合させることで、開口部６を閉じるようにしていた。
【００５３】
これに対し、本実施形態では、図１０に示すように、雄型チャック部２０及び雌型チャック部２１を省略しており、包装袋本体９の上部を折り返して粘着テープ３２で留めることで、開口部６を閉じるようにしている。そして、前シート部７の外面７ｄに雌型の嵌合面３３ａを有する雌型チャック部３３を形成している。雌型チャック部３３は、露出チャック部の一具体例である。雌型チャック部３３の嵌合面３３ａは厚み方向で前シート部７に覆われることがないので外部に露出している。
【００５４】
なお、露出チャック部としての雌型チャック部３３を包装袋本体９の前シート部７の外面７ｄに形成することに代えて、包装袋本体９の後ろシート部８の外面８ｄに形成するようにしてもよい。
【００５５】
（参考実施形態）
次に、図１１及び図１２を参照して、参考実施形態を説明する。図１１は、収容構造の斜視図である。図１２は、収容構造の端面図である。
【００５６】
図１１及び図１２に示すように、本実施形態において、収容構造５０は、第１包装袋５１と第２包装袋５２を備えている。
【００５７】
第１包装袋５１は、上方に開口する開口部５３を有している。詳しくは、第１包装袋５１は、前シート部５４及び後ろシート部５５を有している。前シート部５４と後ろシート部５５は、第１包装袋５１の包装袋本体５６を構成している。前シート部５４及び後ろシート部５５は、包装袋本体５６の下端において溶着により連なっている。図１２に示すように、前シート部５４は、上端５４ａを有する。後ろシート部５５は、上端５５ａを有する。そして、後ろシート部５５は、前シート部５４の上端５４ａよりも上方に延長しており、その延長した部分である上方延長部５５ｂを有している。上方延長部５５ｂの内面５５ｃには、雄型の嵌合面５７ａを有する雄型チャック部５７が形成されている。
【００５８】
同様に、第２包装袋５２は、上方に開口する開口部６０を有している。詳しくは、第２包装袋５２は、前シート部６１及び後ろシート部６２を有している。前シート部６１と後ろシート部６２は、第２包装袋５２の包装袋本体６３を構成している。前シート部６１及び後ろシート部６２は、包装袋本体６３の下端において溶着により連なっている。前シート部６１は、上端６１ａを有する。後ろシート部６２は、上端６２ａを有する。そして、後ろシート部６２は、前シート部６１の上端６１ａよりも上方に延長しており、その延長した部分である上方延長部６２ｂを有している。上方延長部６２ｂの内面６２ｃには、雌型の嵌合面６４ａを有する雌型チャック部６４が形成されている。
【００５９】
第１包装袋５１と第２包装袋５２は、収容構造５０の下端において溶着により連なっている。第１包装袋５１と第２包装袋５２は別々に形成して溶着により連結してもよいし、１つの筒状の包装袋の内部空間を長手方向中央にて溶着により閉塞することで第１包装袋５１及び第２包装袋５２を同時に形成するようにしてもよい。
【００６０】
収容構造５０の使用方法は、以下の通りである。即ち、図１１に示すように、第１包装袋５１の開口部５３から第１包装袋５１にSDメモリーカード７０を挿入すると共に、第２包装袋５２の開口部６０から第２包装袋５２に取扱説明書７１を挿入する。そして、第１包装袋５１の雄型チャック部５７と第２包装袋５２の雌型チャック部６４を嵌合させることにより、第１包装袋５１の開口部５３と第２包装袋５２の開口部６０を同時に閉じる。
【００６１】
地図データの更新があった場合は、作業者は、先ず、第１包装袋５１の雄型チャック部５７から第２包装袋５２の雌型チャック部６４を抜去することで、開口部５３と開口部６０を同時に開く。
【００６２】
次に、第１包装袋５１からSDメモリーカード７０を取り出して、SDメモリーカード７０に記憶されている地図データを書き換えるか、新しい地図データが記憶されているSDメモリーカード７０と取り替える。そして、書き換え後の、又は、新しいSDメモリーカード７０を第１包装袋５１に収容し、第１包装袋５１の雄型チャック部５７と第２包装袋５２の雌型チャック部６４を再び嵌合させることにより、第１包装袋５１の開口部５３と第２包装袋５２の開口部６０を同時に閉じる。
【００６３】
以上の構成によれば、第１包装袋５１と第２包装袋５２が収容構造５０の下端において常に連結された状態にあるので、第１包装袋５１が所在不明となることがない。また、雄型チャック部５７と雌型チャック部６４を嵌合させるだけで、第１包装袋５１の開口部５３と第２包装袋５２の開口部６０を同時に閉じることができるので使い勝手が良い。
【符号の説明】
【００６４】
１  収容構造
２  大形包装袋
３  小形包装袋
４  取扱説明書
５  SDメモリーカード
６  開口部
７  前シート部
７ａ  上端
７ｃ  内面
７ｄ  外面
８  後ろシート部
８ａ  上端
８ｂ  上方延長部
８ｃ  内面
８ｄ  外面
９  包装袋本体
１０  折り返し部
１１  左側溶着部
１２  右側溶着部
２０  雄型チャック部
２０ａ  嵌合面
２０ｂ  肉薄部
２０ｃ  肉厚部
２０Ｐ  左側雄型チャック部
２０Ｑ  右側雄型チャック部
２１  雌型チャック部
２１ａ  嵌合面
２２  開口
２５  露出チャック部
３０  切り欠き
３１  雌型チャック部
３１ａ  嵌合面
３２  粘着テープ
３３  雌型チャック部
３３ａ  嵌合面
５０  収容構造
５１  第１包装袋
５２  第２包装袋
５３  開口部
５４  前シート部
５４ａ  上端
５５  後ろシート部
５５ａ  上端
５５ｂ  上方延長部
５５ｃ  内面
５６  包装袋本体
５７  雄型チャック部
５７ａ  嵌合面
６０  開口部
６１  前シート部
６１ａ  上端
６２  後ろシート部
６２ａ  上端
６２ｂ  上方延長部
６２ｃ  内面
６３  包装袋本体
６４  雌型チャック部
６４ａ  嵌合面
７０  SDメモリーカード
７１  取扱説明書
【図１】
2019081567.tif 000003
【図２】
2019081567.tif 000004
【図３】
2019081567.tif 000005
【図４】
2019081567.tif 000006
【図５】
2019081567.tif 000007
【図６】
2019081567.tif 000008
【図７】
2019081567.tif 000009
【図８】
2019081567.tif 000010
【図９】
2019081567.tif 000011
【図１０】
2019081567.tif 000012
【図１１】
2019081567.tif 000013
【図１２】
2019081567.tif 000014